(57)【要約】【課題】スピニングリールのリール本体において、安価な構成で容易に竿取付脚部の強度を高く維持する。【解決手段】スピニングリールの竿取付脚部３６は、中実の厚肉部材であり、その先端は前後両側に延びており、取付部３６ａとなっている。また、竿取付脚部３６は、前後に開口する収納空間３６ｂを有しており、この収納空間３６ｂに補強部材３７が装着される。補強部材３７は、金属製部材であって、一部が外周面に突出するように装着されている。補強部材３７の下部には、貫通孔３７ａが形成されており、この貫通孔３７ａに、蓋体部２ｂとともにねじ部材３８を挿入し、筐体部２ａにねじ止めされる。【選択図】　　　図１
2004057140.tif 000002
【特許請求の範囲】
【請求項１】
前方に釣り糸を繰り出すスピニングリールのリール本体であって、
内部に各種の機構が装着されるリールボディと、
外部に開口する収納空間を有し、前記リールボディから斜め上前方に一体的に延びるＴ字状の竿取付脚部と、
前記開口から前記収納空間に装着される補強部材と、
を備えたスピニングリールのリール本体。
【請求項２】
前記竿取付脚部は合成樹脂製である、請求項１に記載のスピニングリールのリール本体。
【請求項３】
前記補強部材は金属製である、請求項１又は２に記載のスピニングリールのリール本体。
【請求項４】
前記補強部材は合成樹脂製である、請求項１又は２に記載のスピニングリールのリール本体。
【請求項５】
前記開口は前記竿取付脚部の前方側及び後方側の少なくともいずれかに形成されている、請求項１から４のいずれかに記載のスピニングリールのリール本体。
【請求項６】
前記補強部材は一部が外部に突出するように前記収納空間に装着されている、請求項１から５のいずれかに記載のスピニングリールのリール本体。
【請求項７】
前記開口は前記竿取付脚部の複数箇所に形成され、
前記複数の開口から複数の前記補強部材が前記収納空間に装着されている、請求項１から６のいずれかに記載のスピニングリールのリール本体。
【請求項８】
前記補強部材は着脱可能に前記収納空間に装着されている、請求項１から７のいずれかに記載のスピニングリールのリール本体。
【請求項９】
前記リールボディは、内部に各種の機構が装着される本体部材と、前記本体部材に前記補強部材とともにねじ止め固定される蓋部材とをさらに備えている、請求項８に記載のスピニングリールのリール本体。
【請求項１０】
前記竿取付脚部は前記本体部材と一体成形されている、請求項９に記載のスピニングリールのリール本体。
【請求項１１】
前記竿取付脚部は前記蓋部材と一体成形されている、請求項９に記載のスピニングリールのリール本体。
【発明の詳細な説明】
【０００１】
【発明の属する技術分野】
本発明は、リール本体、特に、スピニングリールのリール本体に関する。
【０００２】
【従来の技術】
一般に、スピニングリールは、ハンドルを有するリール本体と、リール本体に前後移動自在に装着され外周に釣り糸が巻き付けられるスプールと、リール本体に回転自在に支持されスプールに釣り糸を巻き付けるためのロータと、ハンドルの回転をロータに伝達するロータ駆動機構とを備えている。リール本体は、単一の合成樹脂または金属により形成され、リールボディと、リールボディから斜め上前方に一体的に延びるＴ字状の竿取付脚部とを有している。
【０００３】
このようなスピニングリールでは、釣り糸巻き上げ時等において竿取付脚部に大きな力（ねじり力）がかかるため、たとえば特開平１１−３４６６１０号公報に開示されるように、竿取付脚部に芯材をインサート成形したものが知られている。
【０００４】
【発明が解決しようとする課題】
前記従来のスピニングリールでは、芯材が竿取付脚部にインサート成形されているので、竿取付脚部の強度を高く維持することができる。しかし、芯材を竿取付脚部にインサート成形するための工程は複雑であるので、竿取付脚部の形成が面倒であり、かつ製造コストが増大するおそれがある。
【０００５】
本発明の課題は、スピニングリールのリール本体において、安価な構成で容易に竿取付脚部の強度を高く維持することにある。
【０００６】
【課題を解決するための手段】
発明１に係るスピニングリールのリール本体は、前方に釣り糸を繰り出すスピニングリールのリール本体であって、内部に各種の機構が装着されるリールボディと、外部に開口する収納空間を有しリールボディから斜め上前方に一体的に延びるＴ字状の竿取付脚部と、開口から収納空間に装着される補強部材とを備えている。
【０００７】
このリール本体では、竿取付脚部には外部に開口する収納空間が形成され、この開口から収納空間に補強部材が装着されている。ここでは、竿取付脚部を形成した後の工程で、開口から収納空間に補強部材を装着できるので、芯材を竿取付脚部にインサート成形する場合に比して、安価な構成で容易に竿取付脚部の強度を高く維持できる。
【０００８】
発明２に係るリール本体は、発明１のリール本体において、竿取付脚部は合成樹脂製である。この場合、直接手に触れる部分である竿取付脚部が合成樹脂であるので、感触を良好にできる。
発明３に係るリール本体は、発明１又は２のリール本体において、補強部材は金属製である。この場合、補強の効果が顕著になる。
【０００９】
発明４に係るリール本体は、発明１又は２のいずれかのリール本体において、補強部材は合成樹脂製である。この場合、補強部材を軽量化できる。
発明５に係るリール本体は、発明１から４のいずれかのリール本体において、開口は竿取付脚部の前方側及び後方側の少なくともいずれかに形成されている。この場合、たとえば前後方向に形成されたスリット状の開口から補強部材を装着することにより、特にねじり力に対する補強をすることができる。
【００１０】
発明６に係るリール本体は、発明１から５のいずれかのリール本体において、補強部材は一部が外部に突出するように収納空間に装着されている。この場合、補強部材の一部を外周面に突出させているので、竿取付脚部全体の肉厚が厚くなりにくくなる。
発明７に係るリール本体は、発明１から６のいずれかのリール本体において、開口は竿取付脚部の複数箇所に形成され、複数の開口から複数の補強部材が収納空間に装着されている。この場合、複数の補強部材によって竿取付脚部の強度をさらに高く維持できる。
【００１１】
発明８に係るリール本体は、発明１から７のいずれかのリール本体において、補強部材は着脱可能に収納空間に装着されている。この場合、たとえば補強部材をねじ止め固定することにより着脱可能にすることで、補強部材の交換が容易になる。
発明９に係るリール本体は、発明８のリール本体において、リールボディは、内部に各種の機構が装着される本体部材と、本体部材に補強部材とともにねじ止め固定される蓋部材とをさらに備えている。この場合、蓋部材と補強部材とのねじ止め固定を兼用させることにより、部品点数を減少させることができる。
【００１２】
発明１０に係るリール本体は、発明９のリール本体において、竿取付脚部は本体部材と一体成形されている。この場合、竿取付脚部と本体部材とが一体成形されているので、蓋部材の構成が簡素になる。
発明１１に係るリール本体は、発明９のリール本体において、竿取付脚部は蓋部材と一体成形されている。この場合、竿取付脚部と蓋部材とが一体成形されているので、厚肉部分と薄肉部分との混在を少なくして本体部材を薄肉にして精度を高く維持し、竿取付脚部を厚肉にして強度を維持できるようになる。
【００１３】
【発明の実施の形態】
本発明の一実施形態を採用したスピニングリールは、図１及び図２に示すように、ハンドル１を回転自在に支持し釣竿に装着されるリール本体２と、ロータ３と、スプール４とを備えている。ロータ３は、スプール４に釣り糸を巻き付けるものであり、リール本体２の前部に回転自在に支持されている。スプール４は、外周面に釣り糸を巻き取るものであり、ロータ３の前部に前後移動自在に配置されている。なお、ハンドル１は、図１に示すリール本体２の左側と、図２に示すリール本体２の右側とのいずれにも装着可能である。
【００１４】
リール本体２は、図１及び図３に示すように、ロータ３やスプール４を支持する筐体部２ａと、筐体部２ａに着脱自在にねじ止めされた蓋体部２ｂとを有している。
筐体部２ａは、図１及び図３に示すように、合成樹脂製であり、射出成形法により製造された部材である。筐体部２ａは、図３に示すように、内部に各種機構が収納可能な空間を有しており、ハンドル１を装着可能なハンドル支持部２８を有している。
【００１５】
蓋体部２ｂは、図１及び図３に示すように、合成樹脂製であり、射出成形法により製造された部材である。蓋体部２ｂは、蓋体部２ｂと一体成形され、蓋体部２ｂから斜め上前方に一体的に延びるＴ字状の竿取付脚部３６を有している。また、蓋体部２ｂは、図３に示すように、ハンドル１を装着可能なハンドル支持部２７を有している。
【００１６】
竿取付脚部３６は、図２に示すように、中実の厚肉部材であり、その先端は前後両側に延びており、取付部３６ａとなっている。また、竿取付脚部３６は、前後に開口する収納空間３６ｂを有しており、この収納空間３６ｂに補強部材３７が装着される。
補強部材３７は、金属製部材であって、一部が外周面に突出するように装着されている。補強部材３７の下部には、貫通孔３７ａが形成されており、この貫通孔３７ａに、蓋体部２ｂとともにねじ部材３８を挿入し、筐体部２ａにねじ止めされる。
【００１７】
このような構成のスピニングリールでは、竿取付脚部３６には外部に開口する収納空間３６ｂが形成され、この開口から収納空間３６ｂに補強部材３７が装着されている。ここでは、筐体部２ａに蓋体部２ｂを組み付けた後に、竿取付脚部３６の開口から収納空間３６ｂに補強部材３７を装着することができる。したがって、芯材を竿取付脚部３６にインサート成形する場合に比して、安価な構成で容易に竿取付脚部３６の強度を高く維持できる。
【００１８】
〔他の実施形態〕
（ａ）　スピニングリールの形態は前記実施形態に限定されるものではなく、ドラグ機構を有するものや、逆転防止機構に代えてブレーキレバーを有する制動機構を装着したものにも本発明を適用できる。
（ｂ）　前記実施形態では、補強部材３７は金属製であったが、合成樹脂製であってもよい。たとえば、ガラス繊維、炭素繊維、ボロン等の繊維で強化された合成樹脂や、エポキシ樹脂等の熱硬化樹脂で補強部材３７を形成してもよい。また、竿取付脚部３６は、合成樹脂製であったが、金属製であってもよい。
【００１９】
（ｃ）　前記実施形態では、竿取付脚部３６は蓋体部２ｂと一体成形されていたが、竿取付脚部３６を筐体部２ａと一体成形してもよい。
（ｄ）　前記実施形態では、竿取付脚部３６は前後に開口する収納空間３６ｂが設けられていたが、図４に示すように、たとえば後方側のみ開口する収納空間３６ｂを設けてもよい。
【００２０】
（ｅ）　前記実施形態では、補強部材３７は、一部を外周面に突出させて装着されていたが、図４に示すように、外周面と面一になるように装着してもよい。
（ｆ）　前記実施形態では、単一の補強部材３７が装着されていたが、図５に示すように、前後に開口する複数の収納空間３６ｃ、３６ｄに複数の補強部材３７を装着してもよい。
【００２１】
【発明の効果】
本発明によれば、スピニングリールのリール本体において、竿取付脚部には外部に開口する収納空間が形成され、この開口から収納空間に補強部材が装着されているので、安価な構成で容易に竿取付脚部の強度を高く維持できる。
【図面の簡単な説明】
【図１】本発明の実施形態によるスピニングリールの側面図。
【図２】取付脚部の断面図。
【図３】前記スピニングリールの背面図。
【図４】他の実施形態の図２に相当する図。
【図５】他の実施形態の図２に相当する図。
【符号の説明】
１　ハンドル
２　リール本体
２ａ　筐体部
２ｂ　蓋体部
３６　竿取付脚部
３６ａ　取付部
３６ｂ、３６ｃ、３６ｄ　収納空間
３７　補強部材
３７ａ　貫通孔
３８　ねじ部材
【図１】
2004057140.tif 000003
【図２】
2004057140.tif 000004
【図３】
2004057140.tif 000005
【図４】
2004057140.tif 000006
【図５】
2004057140.tif 000007